(57)【要約】【課題】携帯電子機器側に設けられた導体層に開口部やスリットが設けられていない場合でもアンテナの通信距離を延ばすことができ、小型で周波数マッチングも容易なアンテナ装置を提供する。【解決手段】アンテナ装置１は、基板１０と、基板１０上に形成されたループ状又はスパイラル状のアンテナコイル１１と、アンテナコイル１１の第１の部分Ｐ１と平面視にて重なる第１の金属層１２Ａと、第１の部分Ｐ１と異なるアンテナコイル１１の第２の部分Ｐ２と平面視にて重なる第２の金属層１２Ｂとを備える。第２の金属層１２Ｂの平面サイズは  第１の金属層１２Ａの平面サイズよりも大きい。【選択図】図１
2015211422.tif 000002
【特許請求の範囲】
【請求項１】
基板と、
前記基板上に形成されたループ状又はスパイラル状のアンテナコイルと、
前記アンテナコイルの第１の部分と平面視にて重なる第１の金属層と、
前記第１の部分と異なる前記アンテナコイルの第２の部分と平面視にて重なる第２の金属層とを備え、
前記第２の金属層の平面サイズは前記第１の金属層の平面サイズよりも大きいことを特徴とするアンテナ装置。
【請求項２】
前記第１の金属層は、前記アンテナコイルと共に前記基板上に形成されている、請求項１に記載のアンテナ装置。
【請求項３】
前記第２の金属層は、前記アンテナ装置が収容される筐体の構成部材である、請求項１又は２に記載のアンテナ装置。
【請求項４】
前記アンテナコイルは、
前記基板の一方の主面に形成された第１のパターンと、前記基板の他方の主面に形成された第２のパターンとの組み合わせからなり、
前記第１の金属層は、前記基板の前記他方の主面に形成されており、
前記第２の金属層は、前記基板の前記他方の主面と対向して設けられており、
前記第２のパターンは、前記第２の金属層と平面視にて重なる位置に設けられている、請求項１乃至３のいずれか一項に記載のアンテナ装置。
【請求項５】
前記第１の金属層と前記第２の金属層は、平面視にて前記アンテナコイルの内径部の中央を挟んで両側にそれぞれ配置されている、請求項１乃至４のいずれか一項に記載のアンテナ装置。
【請求項６】
前記第１の金属層は、前記基板の第１の幅方向の一端側に設けられ、
前記第２の金属層は、前記基板の前記第１の幅方向の他端側に設けられている、請求項５に記載のアンテナ装置。
【請求項７】
前記第１の幅方向と直交する第２の幅方向における前記第１の金属層の幅は、前記第２の幅方向における前記アンテナコイルの内径部の幅以下であり、
前記第２の幅方向における前記第２の金属層の幅は、前記第２の幅方向における前記基板の幅よりも広い、請求項６に記載のアンテナ装置。
【請求項８】
平面視にて前記アンテナコイルの前記内径部の中央部に設けられた中心金属層をさらに備える、請求項１乃至７のいずれか一項に記載のアンテナ装置。
【請求項９】
前記第１及び第２の部分と異なる前記アンテナコイルの第３の部分と平面視にて重なる第３の金属層と、
前記第１乃至第３の部分と異なる前記アンテナコイルの第４の部分と平面視にて重なる第４の金属層とをさらに備え、
前記第３の金属層と前記第４の金属層は、平面視にて前記アンテナコイルの前記内径部の前記中央を挟んで両側にそれぞれ配置されている、請求項１乃至８のいずれか一項に記載のアンテナ装置。
【請求項１０】
前記第３及び第４の金属層は、前記アンテナコイル及び前記第１の金属層と共に前記基板上に形成されている、請求項９に記載のアンテナ装置。
【請求項１１】
前記第３の金属層は、前記基板の前記第２の幅方向の一端側に設けられており、
前記第４の金属層は、前記基板の前記第２の幅方向の他端側に設けられている、請求項９又は１０に記載のアンテナ装置。
【発明の詳細な説明】
【技術分野】
【０００１】
本発明は、アンテナ装置に関し、特に、ＮＦＣ（Near Field Communication：近距離無線通信）に好適なアンテナ装置に関するものである。
【背景技術】
【０００２】
近年、スマートフォン等の携帯電子機器にはＲＦＩＤ（Radio Frequency Identification：電波による個体識別）システムが搭載されており、そのための通信手段としてリーダ・ライタ等と近距離無線通信を行うためのアンテナが搭載されている。
【０００３】
一方、内蔵回路を外部ノイズから保護すると共に機器内で発生するノイズの不要輻射を防止するため、携帯電子機器には金属シールドが設けられている。特に最近は、薄型化、軽量化、落下等の衝撃に対する耐久性、デザイン性等を考慮して、携帯電子機器の筐体自体が樹脂製から金属製となり、金属シールドを兼ねるケースも増えてきている。しかし、一般に金属シールドは電波を妨げることから、アンテナを設ける場合には金属シールドと重ならない位置に設ける必要があり、金属シールドが広範囲に設けられているときにはアンテナの配置が問題となる。
【０００４】
上記問題を解決するため、例えば特許文献１〜３に開示されたアンテナ装置は、導体層に開口部を形成すると共に当該開口部と外縁との間を連接するスリットを形成し、内径部が開口部と重なるようにアンテナコイルを配置している。このアンテナ装置によれば、コイル導体に電流が流れることにより生じる磁界を遮るように導体層に電流が流れ、そして導体層の開口部の周囲に流れる電流がスリットの周辺を通り、縁端効果により導体層の周囲にも電流が流れる。これにより、導体層からも磁界が生じ、導体層が磁束を大きく周回させるので、アンテナ装置と相手側アンテナとの通信距離を広げることができる。すなわち、導体層をアンテナコイルの通信距離を広げるアクセラレータとして機能させることができる。
【先行技術文献】
【特許文献】
【０００５】
【特許文献１】特許第４６８７８３２号公報
【特許文献２】特開２００２−１１１３６３号公報
【特許文献３】特開２０１３−１６２１９５号公報
【発明の概要】
【発明が解決しようとする課題】
【０００６】
しかしながら、上述した従来のアンテナ装置は、導体層に開口部及びスリットを形成する必要があり、アンテナコイルをレイアウトする上での制約となるという問題がある。例えば、設計上の制約から所望の位置に開口部を形成することができない場合や、開口部を形成することはできてもスリットを形成することが許されない場合には、当該アンテナ装置を構成することができないという問題がある。また、カメラモジュールのレンズを露出させるための開口部をアンテナコイルの開口部として利用できない場合にも同様の問題が生じる。
【０００７】
したがって、本発明の目的は、携帯電子機器側に設けられた導体層に開口部やスリットが設けられていない場合でもアンテナコイルの通信距離を延ばすことができ、小型で周波数マッチングも容易なアンテナ装置を提供することにある。
【課題を解決するための手段】
【０００８】
上記課題を解決するため、本発明によるアンテナ装置は、基板と、前記基板上に形成されたループ状又はスパイラル状のアンテナコイルと、前記アンテナコイルの第１の部分と平面視にて重なる第１の金属層と、前記第１の部分と異なる前記アンテナコイルの第２の部分と平面視にて重なる第２の金属層とを備え、前記第２の金属層の平面サイズは前記第１の金属層の平面サイズよりも大きいことを特徴とする。
【０００９】
本発明によれば、アンテナコイルを部分的に覆う第１及び第２の金属層がアンテナコイルと鎖交する磁束を強めるので、携帯電子機器側に設けられた導体層に開口部やスリットが設けられていない場合でもアンテナコイルの通信距離を延ばすことができる。特に、第１の金属層の平面サイズが相対的に小さく、第２の金属層の平面サイズが相対的に大きいので、アンテナコイルと鎖交する磁束のロスを減らして効率良く通信距離を延ばすことができる。また、アンテナコイルと第１の金属層との間の浮遊容量を小さくしてアンテナの周波数マッチングを取りやすくすることができる。
【００１０】
本発明において、前記第１の金属層は、前記アンテナコイルと共に前記基板上に形成されていることが好ましく、前記第２の金属層は、前記アンテナ装置が収容される筐体の構成部材であることが好ましい。この構成によれば、第１の金属層を効率よくレイアウトすることができ、また筐体側の金属体を利用して第２の金属層を形成することができる。したがって、材料コストの低減と部品レイアウトの効率化を図ることができる。
【００１１】
本発明において、前記アンテナコイルは、前記基板の一方の主面に形成された第１のパターンと、前記基板の他方の主面に形成された第２のパターンとの組み合わせからなり、前記第１の金属層は、前記基板の前記他方の主面に形成されており、前記第２の金属層は、前記基板の前記他方の主面と対向して設けられており、前記第２のパターンは、前記第２の金属層と平面視にて重なる位置に設けられていることが好ましい。この構成によれば、アンテナコイル及び第１及び第２の金属層を基板上に効率よくレイアウトすることができる。
【００１２】
本発明において、前記第１の金属層と前記第２の金属層は、平面視にて前記アンテナコイルの内径部の中央を挟んで両側にそれぞれ配置されていることが好ましい。アンテナコイルの内径部を貫通する磁束が第１の金属層と第２の金属層に挟まれたスリットを通過することにより、磁束の通過を内径部に集中させることができる。したがって、アンテナコイルの磁束を強めることができ、アンテナの通信距離を延ばすことができる。
【００１３】
本発明において、前記第１の金属層は、前記基板の第１の幅方向の一端側に設けられ、前記第２の金属層は、前記基板の前記第１の幅方向の他端側に設けられていることが好ましい。この場合において、前記第１の幅方向と直交する第２の幅方向における前記第１の金属層の幅は、前記第２の幅方向における前記アンテナコイルの内径部の幅以下であり、前記第２の幅方向における前記第２の金属層の幅は、前記第２の幅方向における前記基板の幅よりも広いことが好ましい。基板上に形成される第１の金属層の幅を狭くしてアンテナコイルの内径部を磁束が通過しやすくすることにより、磁束のロスを減らして通信距離を延ばすことができる。また、第１の金属層とアンテナコイルとの間に発生する浮遊容量を小さくすることができ、これによりアンテナの周波数マッチングを取りやすくすることができる。さらに第２の金属層よれば磁束のループサイズを大きくすることができ、通信距離の向上に貢献することができる。
【００１４】
本発明によるアンテナ装置は、前記アンテナコイルと平面視にて重なる位置に設けられた金属体と、前記アンテナコイルと前記金属体との間に設けられた磁性シートとをさらに備えることが好ましい。この構成によれば、アンテナコイルと鎖交する磁束ループの磁路を確保することができ、金属体の影響を低減することができる。
【００１５】
本発明によるアンテナ装置は、平面視にて前記アンテナコイルの前記内径部の中央部に設けられた中心金属層をさらに備えることが好ましい。第１及び第２の金属層間に２本のスリットを設けることができ、１本のスリットを設ける場合よりもアンテナコイルの通信距離を延ばすことが可能である。
【００１６】
本発明において、前記第１及び第２の部分と異なる前記アンテナコイルの第３の部分と平面視にて重なる第３の金属層と、前記第１乃至第３の部分と異なる前記アンテナコイルの第４の部分と平面視にて重なる第４の金属層とをさらに備え、前記第３の金属層と前記第４の金属層は、平面視にて前記アンテナコイルの前記内径部の前記中央を挟んで両側に配置されていることが好ましい。この場合、前記第３及び第４の金属層は、前記アンテナコイル及び前記第１の金属層と共に前記基板上に形成されていることがより好ましい。さらに、前記第３の金属層は、前記基板の前記第２の幅方向の一端側に設けられており、前記第４の金属層は、前記基板の前記第２の幅方向の他端側に設けられていることが好ましい。アンテナコイルの内径部を貫通する磁束が第１〜第４の金属層に囲まれた領域を通過することにより、磁束の通過を内径部に集中させることができ、これによりアンテナの通信距離を延ばすことができる。さらに、平面サイズが相対的に小さな第３及び第４の金属層を追加的に設けることにより、アンテナコイルと鎖交する磁束のロスを減らしながら磁束のループサイズを広げることができ、さらに効率良く通信距離を延ばすことができる。
【発明の効果】
【００１７】
本発明によれば、アンテナの通信距離を延ばすことができ、小型で周波数マッチングも容易なアンテナ装置を提供することができる。
【図面の簡単な説明】
【００１８】
【図１】図１は、本発明の第１の実施の形態によるアンテナ装置の構成を示す平面図であって、特に、図１（ｂ）は図１（ａ）と同一方向からアンテナコイルを透過的に見た図である。
【図２】図２は、図１（ａ）のＹ−Ｙ'線に沿ったアンテナ装置の断面図である。
【図３】図３は、アンテナコイルに対する第１及び第２の金属層の作用を説明するための平面図である。
【図４】図４は、アンテナコイルに対する第１及び第２の金属層の作用を説明するための断面図である。
【図５】図５は、本発明の第２の実施の形態によるアンテナ装置の構成を示す平面図である。
【図６】図６は、本発明の第２の実施の形態によるアンテナ装置の構成を示す断面図である。
【図７】図７は、本発明の第３の実施の形態によるアンテナ装置の構成を示す平面図である。
【発明を実施するための形態】
【００１９】
以下、添付図面を参照しながら、本発明の好ましい実施の形態について詳細に説明する。
【００２０】
図１は、本発明の第１の実施の形態によるアンテナ装置の構成を示す平面図であって、特に、図１（ｂ）は図１（ａ）と同一方向からアンテナコイルを透過的に見た図である。また図２は、図１（ａ）のＹ−Ｙ'線に沿ったアンテナ装置の断面図である。
【００２１】
図１（ａ）、（ｂ）及び図２に示すように、このアンテナ装置１は、基板１０と、基板１０上に形成されたスパイラル状のアンテナコイル１１と、アンテナコイル１１と平面視にて重なるように設けられた第１及び第２の金属層１２Ａ，１２Ｂと、アンテナコイル１１から見て第１及び第２の金属層１２Ａ，１２Ｂとは反対側に設けられた磁性シート１４とを備えている。
【００２２】
基板１０は例えばＰＥＴ樹脂からなるフレキシブル基板であり、その平面サイズは例えば４０×５０ｍｍ、厚さは約３０μｍである。アンテナコイル１１は略矩形のスパイラルパターン１１ａを有し、主に基板１０の一方の主面１０ａ（下面）に形成されている。アンテナコイル１１はめっきにより形成してもよく、基板１０の全面に予め形成された金属層のエッチング（パターニング）により形成してもよい。
【００２３】
アンテナコイル１１のスパイラルパターン１１ａの両端はリード部１１ｃ，１１ｄによって基板１０のエッジまで引き出されており、特にスパイラルパターン１１ａの内周端はスパイラルのループを横切るブリッジ部１１ｅ及び基板１０を貫通するスルーホール導体１１ｆを経由してループの外側に引き出されている。アンテナコイル１１の両端は例えばメイン回路基板に接続される。接続方法は特に限定されず、例えばフレキシブル素材の基板１０と共にリード部１１ｃ、１１ｄを延長してメイン回路基板と接続するように構成してもよく、あるいは給電ピンを用いて接続することも可能である。
【００２４】
本実施形態において、ブリッジ部１１ｅは基板１０の他方の主面１０ｂに形成されている。ブリッジ部１１ｅの一端及び他端は、スルーホール導体１１ｆ，１１ｆを介してスパイラルパターン１１ａの内周端及びリード部１１ｄの一端にそれぞれ接続されている。アンテナコイル１１は基板１０の一方及び他方の主面１０ａ，１０ｂに直接形成されたパターンだけで形成されているので、ブリッジ部１１ｅを形成するために追加の金属層を重ねる必要がなく、その作製は容易である。特に、第２の金属層１２Ｂが基板１０上に形成されていないので、ブリッジ部１１ｅを第２の金属層１２Ｂと平面視にて重なる位置に設けることができ、ブリッジ部１１ｅを容易にレイアウトすることができる。
【００２５】
本実施形態において、第１の金属層１２Ａはいわゆるベタパターンであり、基板１０の他方の主面１０ｂ（上面）に形成されている。第１の金属層１２Ａはめっきにより形成してもよく、基板１０の全面に予め形成された金属層のエッチングにより形成してもよい。めっきの場合にはアンテナコイル１１と同時に第１の金属層１２Ａを形成することができる。また金属層のエッチングの場合には、アンテナコイル１１と異なる厚さの第１の金属層１２Ａを形成することができる。いずれにしても、第１の金属層１２Ａは基板面に接着されたものではなく、接着剤（接着層）は介在しないので、金属層１２Ａをアンテナコイル１１に近づけることができ、通信距離を向上させることができる。
【００２６】
第２の金属層１２Ｂは、基板１０の他方の主面１０ｂの上方であって、他方の主面１０ｂと対向する位置に設けられている。第２の金属層１２Ｂは、アンテナ装置１が収容されるスマートフォン等の携帯電子機器の筐体の構成部材であることが好ましい。第２の金属層１２Ｂはまた、筐体とは別の支持基板に形成されたものであってもよい。
【００２７】
アンテナコイル１１から見て磁性シート１４よりも遠方には金属体１５が設けられている。この金属体１５は、例えばアンテナ装置１が実装されるスマートフォン等の携帯電子機器のバッテリーケースである。アンテナコイル１１と金属体１５との間に磁性シート１４が介在させることにより、金属体１５がアンテナコイル１１に与える影響を抑えてインダクタンスを高めることができ、これによりアンテナ特性の向上を図ることができる。
【００２８】
本実施形態において、アンテナコイル１１は、基板１０の一方の主面１０ａに形成されたスパイラルパターン１１ａ及びリード部１１ｃ，１１ｄ（第１のパターン）と、基板１０の他方の主面１０ｂに形成されたブリッジ部１１ｅ（第２のパターン）との組み合わせからなり、ブリッジ部１１ｅは、第２の金属層１２Ｂと平面視にて重なる位置に設けられている。この構成によれば、アンテナコイル１１及び第１及び第２の金属層１２Ａ，１２Ｂを効率よくレイアウトすることができる。
【００２９】
第１の金属層１２Ａは、基板１０のＹ方向（第１の幅方向）の一端側に設けられ、第２の金属層１２Ｂは、基板１０のＹ方向の他端側に設けられている。第１の金属層１２Ａと第２の金属層１２Ｂは、平面視にてアンテナコイル１１の内径部１１ｂの中央を挟んで両側にそれぞれ配置されている。
【００３０】
第１の金属層１２Ａと第２の金属層１２Ｂとの間には一定幅のスリットＳＬが設けられており、第１及び第２の金属層１２Ａ、１２ＢはスリットＳＬによって電気的に絶縁分離されている。スリットＳＬの幅は同一方向におけるアンテナコイル１１の内径部１１ｂの幅よりも狭いことが好ましい。スリットＳＬは基板１０の幅方向の中央であってアンテナコイル１１の内径部１１ｂに設けられている。すなわち、アンテナコイル１１はその内径部１１ｂがスリットＳＬと平面視にて重なるようにレイアウトされている。アンテナコイル１１のスリットと略平行な部分は、第１及び第２の金属層１２Ａ，１２Ｂと平面視にて重なっていることが好ましい。
【００３１】
本実施形態において、第１の金属層１２ＡのＸ方向（第２の幅方向）幅Ｗ１は基板１０よりも狭く、特に、アンテナコイル１１の内径部１１ｂのＸ方向の幅Ｗ２以下に設定されている。そのため、第１の金属層１２Ａの平面サイズは第２の金属層１２Ｂの平面サイズよりも小さい。
【００３２】
第１の金属層１２Ａはアンテナコイル１１の第１の部分Ｐ１と平面視にて重なりを有している。また、第２の金属層１２Ｂは、アンテナコイル１１の内径部１１ｂを挟んで第１の部分Ｐ１と対向するアンテナコイル１１の第２の部分Ｐ２と平面視にて重なりを有している。第１の金属層１２Ａに覆われるアンテナコイル１１の第１の部分Ｐ１の面積は、第２の金属層１２Ｂに覆われるアンテナコイル１１の第２の部分Ｐ２の面積よりも小さい。
【００３３】
磁束のループサイズを大きくして通信距離を延ばすためには第１及び第２の金属層１２Ａ，１２Ｂの平面サイズはできるだけ大きいほうがよいが、第１の金属層１２Ａを基板１０上のパターンで形成する場合、基板サイズを大きくしなければ第１の金属層１２Ａの平面サイズを大きくすることはできない。一方、限られた基板サイズで基板１０上の第１の金属層１２Ａの平面サイズを大きくしようとすると、アンテナコイル１１が第１の金属層１２Ａで広く覆われ、磁束の通過が妨げられるので、必ずしも特性が向上しない。そこで、基板１０上に形成される第１の金属層１２Ａの幅を狭くし、これにより第１の金属層１２Ａの平面サイズを小さくし、アンテナコイルの内径部１１ｂを磁束が通過しやすくすることにより、磁束のロスを減らして通信距離を延ばすようにしている。
【００３４】
第１及び第２の金属層１２Ａ，１２Ｂの両方の平面サイズが大きい従来のアンテナ装置では、第１及び第２の金属層１２Ａ，１２Ｂとアンテナコイル１１との間に大きな浮遊容量が発生するため、周波数マッチングにおいてキャパシタンスの追加により目標周波数（例えば１３．５６ＭＨｚ）に合わせることが難しかった。しかし、第１の金属層１２Ａを小さくした場合には、第１の金属層１２Ａとアンテナコイル１１との間の浮遊容量を小さくすることができ、アンテナの周波数マッチングを取りやすくすることができる。
【００３５】
一方、第２の金属層１２ＢのＸ方向の幅Ｗ３は、基板１０のＸ方向の幅Ｗ４よりも広い。第２の金属層１２Ｂについてはその大きさを活かすことにより、磁束のループサイズを大きくすることができ、通信距離の向上に貢献することができる。
【００３６】
図３及び図４は、アンテナコイル１１に対する第１及び第２の金属層１２Ａ，１２Ｂの作用を説明するための図であって、図３は平面図、図４は断面図である。
【００３７】
図３及び図４に示すように、アンテナコイル１１に反時計回りの電流Ｉａが流れるとき、アンテナコイル１１の内径部１１ｂを貫通する磁束φが発生し、この磁束φは第１及び第２の金属層１２Ａ，１２Ｂ間のスリットＳＬを通過して第１及び第２の金属層１２Ａ，１２Ｂの各々と鎖交する。一方、第１の金属層１２Ａ及び第２の金属層１２Ｂにはこの磁束を打ち消そうとする方向の磁束によって生じる電流が流れ、この電流は縁端効果により第１及び第２の金属層１２Ａ，１２Ｂの外周に沿った渦電流Ｉｂとなる。渦電流Ｉｂの向きはアンテナコイル１１に流れる電流Ｉａと同じく反時計回りである。
【００３８】
ここで、スリットＳＬを通過した磁束φは、第１の金属層１２Ａと第２の金属層１２Ｂとの間のスリットＳＬ１を内側とし、第１の金属層１２Ａおよび第２の金属層１２Ｂの外縁を外側とする経路を通って迂回しようとする。その結果、磁束φは相対的に大きなループを描き、リーダ・ライタのアンテナコイルと鎖交し、アンテナ装置１は通信相手側アンテナと磁気的に結合する。特に、第１の金属層１２Ａ、第２の金属層１２Ｂ及びスリットＳＬを含む金属層全体の外周の平面サイズがアンテナコイルの平面サイズよりも大きいことから、大きなループ磁界を生じさせることができる。さらに、アンテナコイル１１から見て第１及び第２の金属層１２Ａ，１２Ｂとは反対側に磁性シート１４が設けられているので、磁束φの磁路を確保してインダクタンスを高めることができ、これによりアンテナ特性の向上を図ることができる。
【００３９】
以上説明したように、本実施形態によるアンテナ装置１は、第１の金属層１２Ａと第２の金属層１２Ｂとがアンテナコイル１１の内径部１１ｂに磁束φを集中させることができ、これにより通信距離を延ばすことができる。特に、基板１０から分離して設けられた第２の金属層１２Ｂの面積が相対的に大きいので、磁束φのループを大きく周回させることができ、アンテナ装置１の通信距離を延ばすことができる。さらに、基板１０上に形成される第１の金属層１２Ａの面積が相対的に小さいことから、アンテナコイルの内径部１１ｂを通過する磁束のロスを減らすことができ、通信距離を延ばすことができる。
【００４０】
図５及び図６は、本発明の第２の実施の形態によるアンテナ装置の構成を示す図であって、図５は平面図、図６は断面図である。
【００４１】
図５及び図６に示すように、このアンテナ装置２の特徴は、アンテナコイル１１の内径部１１ｂの中央部に設けられた中心金属層１２Ｃをさらに備える点にある。中心金属層１２ＣはスリットＳＬと平行な細長い矩形のベタパターンからなり、スリットＳＬの幅方向の中央に配置されており、第１の金属層１２Ａと第２の金属層１２Ｂとの間に挟まれている。これによりスリットＳＬは分割され、第１及び第２のスリットＳＬ１，ＳＬ２が形成される。アンテナコイル１１の内径部１１ｂは２本のスリットＳＬ１，ＳＬ２と平面視にて重なっている。その他の構成は、第１の実施の形態と同様である。
【００４２】
特に限定されないが、２本のスリットＳＬ１，ＳＬ２の幅は同一であることが好ましい。中心金属層１２ＣのＹ方向の幅はスリットＳＬ１、ＳＬ２の幅よりも広いことが好ましいが、広すぎるとスリットＳＬ１、ＳＬ２の幅が極端に狭くなってしまうことから、適切な幅に設定する必要がある。なお分割前のスリットＳＬの幅はアンテナコイル１１の内径部１１ｂの幅よりも狭いことが必要である。
【００４３】
本実施形態によるアンテナ装置２は、第１の実施の形態と同等かそれ以上の効果を奏することができる。すなわち、第１及び第２の金属層１２Ａ、１２Ｂと中心金属層１２Ｃとの組み合わせがアンテナコイル１１の磁束を大きく周回させるので、アンテナ装置の通信距離を延ばすことができる。本実施形態は、アンテナコイル１１から見て金属体１５が比較的遠くに設けられている場合に特に有効である。すなわち、磁性シート１４を挟んでアンテナコイル１１の反対側に位置する金属体１５の位置がアンテナコイル１１から比較的遠い構成において中心金属層１２Ｃを設けてスリットＳＬを２本のスリットＳＬ１、ＳＬ２に分割した場合には、中心金属層１２Ｃを設けない場合に比べて通信距離を確実に延ばすことができる。
【００４４】
図７は、本発明の第３の実施の形態によるアンテナ装置の構成を示す図であって、図７は平面図である。
【００４５】
図７に示すように、このアンテナ装置３の特徴は、アンテナコイル１１、第１の金属層１２Ａ及び中心金属層１２Ｃと共に基板１０上に形成された第３及び第４の金属層１２Ｄ，１２Ｅをさらに備える点にある。第３及び第４の金属層１２Ｄ，１２Ｅは、基板１０の表面に形成されたベタパターンである。その他の構成は、第３の実施の形態と同様である。
【００４６】
本実施形態において、第３及び第４の金属層１２Ｄ，１２Ｅは、基板１０のＸ方向の一端側及び他端側にそれぞれ設けられており、第３の金属層１２Ｄと第４の金属層１２Ｅは、平面視にてアンテナコイル１１の内径部１１ｂの中央を挟んで両側にそれぞれ配置されている。第３の金属層１２Ｄは、第１及び第２の部分Ｐ１，Ｐ２と異なるアンテナコイル１１の第３の部分Ｐ３と平面視にて重なっており、第４の金属層１２Ｅは、第１乃至第３の部分Ｐ１〜Ｐ３と異なるアンテナコイル１１の第４の部分Ｐ４と平面視にて重なっている。
【００４７】
本発明によれば、第１及び第２の実施の形態による発明の効果に加えて、アンテナコイルの磁束をさらに強めることができ、アンテナ特性のさらなる向上を図ることができる。
【００４８】
本発明は、以上の実施形態に限定されることなく、本発明の趣旨を逸脱しない範囲で種々の変更を加えることが可能であり、それらも本発明に包含されるものであることは言うまでもない。
【００４９】
例えば、第１の実施の形態では、平面視にてアンテナコイル１１の内径部１１ｂの中央を挟んで両側に第１の金属層１２Ａと第２の金属層１２Ｂをそれぞれ設けているが、第１の金属層１２Ａの位置は特に限定されない。したがって、例えば第３の金属層１２Ｄの位置に設けてもよく、第４の金属層１２Ｅの位置に設けてもよい。すなわち、基板１０上の金属層は、第１、第３、及び第４の金属層１２Ａ，１２Ｄ，１２Ｅの少なくとも１つが形成されていればよく、さらに中心金属層１２Ｃを任意に組み合わせることができる。さらに、第１〜第４の金属層１２Ａ、１２Ｂ，１２Ｄ、１２Ｅ及び中心金属層１２Ｃを基板１０上に形成しているが、基板１０とは別の支持基板上に形成することも可能である。
【００５０】
また、上記各実施形態においては、アンテナコイル１１が数ターンのスパイラルパターンで構成されているが、１ターン未満のループパターンであってもよい。すなわち、アンテナコイル１１は、ループ状又はスパイラル状の平面コイルパターンであればよい。
【符号の説明】
【００５１】
１〜３    アンテナ装置
１０    基板
１０ａ    基板の一方の主面
１０ｂ    基板の他方の主面
１１    アンテナコイル
１１ａ    スパイラルパターン
１１ｂ    内径部
１１ｃ，１１ｄ    リード部
１１ｅ    ブリッジ部
１１ｆ    スルーホール導体
１２Ａ    第１の金属層
１２Ｂ    第２の金属層
１２Ｃ    中心金属層
１２Ｄ    第３の金属層
１２Ｅ    第４の金属層
１４    磁性シート
１５    金属体
Ｐ１    アンテナコイルの第１の部分
Ｐ２    アンテナコイルの第２の部分
Ｐ３    アンテナコイルの第３の部分
Ｐ４    アンテナコイルの第４の部分
ＳＬ，ＳＬ１，ＳＬ２    スリット
【図１】
2015211422.tif 000003
【図２】
2015211422.tif 000004
【図３】
2015211422.tif 000005
【図４】
2015211422.tif 000006
【図５】
2015211422.tif 000007
【図６】
2015211422.tif 000008
【図７】
2015211422.tif 000009